(57)【要約】      （修正有）【課題】長期在庫でき、しかも長期に使用しても嵌合が甘くならない棒状化粧料容器の提供。【解決手段】棒状化粧料保持用の繰出筒の相対峙する部分に突設されたガイド突起を、有底円筒体の周壁部分に相対峙して穿設された縦穴に係合させて上記繰出筒を上記有底円筒体に収納し、上記縦穴を挿通して有底円筒体から突出するガイド突起を、紙管製の外筒の内周面に設けられたら線溝に係合させて上記外筒を上記有底円筒体に外嵌し、有底円筒体の下端部に紙製の装飾筒を固着し、有天円筒状で紙管製のキャップを上記有底円筒体に着脱自在に冠着したという構成をとる。更に紙製のキャップと合成樹脂製の有底円筒体の嵌合する部分には、嵌合用突起が設けてある。【選択図】  図１
2004298594.tif 000002
【特許請求の範囲】
【請求項１】
棒状化粧料保持用の繰出筒の相対峙する部分に突設されたガイド突起を、有底円筒体の周壁部分に相対峙して穿設された縦穴に係合させて上記繰出筒を上記有底円筒体に収納し、上記縦穴を挿通して有底円筒体から突出するガイド突起を、外筒の内周面に設けられたら線溝に係合させて上記外筒を上記有底円筒体に外嵌し、有底円筒体の下端部に紙製の装飾筒を固着し、有天円筒状で紙管製のキャップを上記有底円筒体に着脱自在に冠着した棒状化粧料容器において、紙製のキャップと合成樹脂製の有底円筒体の嵌合する部分には、嵌合用突起が設けてあることを特徴とする棒状化粧料容器。
【発明の詳細な説明】
【０００１】
【産業上の利用分野】
この発明は、口紅，リップクリーム，チック等の棒状化粧料を容器から繰り出して使用する棒状化粧料容器に関するものである。
【０００２】
【従来の技術】
口紅等の棒状化粧料の容器としては、筒部材内に収納された口紅等を該筒部材の下部に回動可能に取付けられた嵌合部材との回動によって該筒部材の上端部より出没させることができる口紅等の収納容器本体と、この口紅等の収納容器本体の下端部が挿入され、前記嵌合部が固定された紙管を用いたハカマ部材と、このハカマ部材の上端部に設けられた紙管製のキャップ嵌合部と、このキャップ嵌合部と着脱可能に嵌合する前記口紅等の収納容器本体の上部を覆う紙管を用いたキャップとで口紅等の収納容器を構成している（例えば、特許文献１参照）。
【０００３】
【特許文献１】
特開平９−３７８４５号公報
【０００４】
【発明が解決しようとする課題】
しかしながら、上記容器は、個々の部品がプラスチック材，紙で構成されているが、嵌合については何ら考慮されていない。すなわち、紙製キャップと紙製キャップについては、同じ素材の為に比較的嵌合については問題がないが、紙製のキャップと合成樹脂製のキャップ嵌合部については、長期在庫した場合及び何回もキャップを開閉すると、嵌合が甘くなる傾向があった。
【０００５】
この発明は、このような事情に鑑みなされたもので、長期在庫でき、しかも長期に使用しても嵌合が甘くならない棒状化粧料容器の提供をその目的とする。
【０００６】
【課題を解決するための手段】
上記の目的を達成するため、この発明の棒状化粧料容器は、棒状化粧料保持用の繰出筒の相対峙する部分に突設されたガイド突起を、有底円筒体の周壁部分に相対峙して穿設された縦穴に係合させて上記繰出筒を上記有底円筒体に収納し、上記縦穴を挿通して有底円筒体から突出するガイド突起を、外筒の内周面に設けられたら線溝に係合させて上記外筒を上記有底円筒体に外嵌し、有底円筒体の下端部に紙製の装飾筒を固着し、有天円筒状で紙管製のキャップを上記有底円筒体に着脱自在に冠着したという構成をとる。更に紙製のキャップと合成樹脂製の有底円筒体の嵌合する部分には、嵌合用突起が設けてある。
【０００７】
【作用】
すなわち、この発明の棒状化粧料容器は、有底円筒体の下端部を装飾する装飾筒が紙管で構成されているとともに、上記有底円筒体に冠着するキャップが紙管で構成されている。このため、手で持った感触が柔らかく、更に嵌合部の嵌合用突起が有る為に、長期在庫、長期使用しても、紙製のキャップと合成樹脂製の有底円筒体の嵌合が甘くならない。
【０００８】
つぎに、この発明を実施例にもとづいて詳しく説明する。
【０００９】
【実施例】
図１および図２はこの発明の棒状化粧料容器の一実施例を示している。この棒状化粧料容器は、プラスチック製の有底円筒体１１と、プラスチック製でこの有底円筒体１１の内部に収納される棒状化粧料保持用の繰出筒１２と、プラスチック製で上記有底円筒体１１に外嵌される外筒１３と、紙管製で上記外筒１３に冠着するキャップ１４と有底円筒体１１を装飾する装飾筒２０で構成されている。
【００１０】
上記有底円筒体１１は、上端から略３分の２部分が細径部に形成されており、その周壁部分の相対峙する部分には、縦穴１５が穿設されている。そして、この縦穴１５に上記繰出筒１２の外周面の相対峙する部分に突設されたガイド突起１６を係合させて上記繰出筒１２が上記有底円筒体１１に昇降自在に収納されている。上記外筒１３は、上記縦穴１５を挿通して上記有底円筒体１１から突出する上記ガイド突起１６を上記外筒１３の内周面に設けられたら線溝１７に係合させかつ上記外筒１３の開口内周に設けられた段差部１３ａを、上記有底円筒体１１の開口外周に周方向に設けられた突条１１ａに抜け止めされた状態で上記有底円筒体１１の細径部に外嵌されている。これにより、上記外筒１３が上記有底円筒体１１に対して相対回転自在になる。このため、外筒１３を有底円筒体１１に対して相対回転させると、その回転に伴い、外筒１３のら線溝１７と有底円筒体１１の縦穴１５との交点が上下に移動する。そして、縦穴１５とら線溝１７に係合しているガイド突起１６が必然的に上記交点に位置決めされることになり、上記交点の上下移動に追従して繰出筒１２が昇降する。上記外筒１３の外周には、キヤツプ１４が着脱自在に取り付けられるようになっており、不使用時に外筒１３および上記繰出筒１２に固着された棒状化粧料１８（図では一点鎖線で示している）を被覆保護するようになっている。なお、１９は上記ガイド突起１６を上昇位置および下降位置で位置決めするための横穴で、上記縦穴１５の上下両端部にそれぞれ周方向に切欠いて設けられている。
【００１１】
このように構成された上記棒状化粧料容器は、不使用時には、繰出筒１２を下降させそのガイド突起１６を縦穴１５下端部の横穴１９に位置決めして不用意に繰出筒１２が上昇しないようにし、この状態でキャップ１４を有底円筒体１１に外嵌させておく。この場合有底円筒体の下端から３分の１ぐらいの所に、嵌合用突起２１が数本設けられている。この実施例では嵌合用突起２１は幅１．５ｍｍ、長さ５．５ｍｍ、高さ０．１ｍｍの突起である。紙筒とプラスチックの嵌合は長期在庫した場合、特に湿気のある場合は甘くなる傾向がある。また長期に使用した場合は特に紙が柔らかて、少しずつ削られる傾向がある。この場合は特に嵌合用突起２１が１本だけの場合が特に効果が高かった。使用時には、キャップ１４を取り外して外筒１３を露呈させ、有底円筒体１１の下端部を外筒１３に対して相対的に一方向に回転させる。その結果、繰出筒１２が縦穴１５に沿って上昇して棒状化粧料１８が外筒１３の上端開口から突出し使用可能状態になる。このようにして棒状化粧料１８で化粧することが行われる。
【００１２】
【発明の効果】
以上のように、この発明の棒状化粧料容器は、有底円筒体の下端部を装飾する装飾筒が紙管で構成されているとともに、上記有底円筒体に冠着するキャップが紙管で構成されている。このため、手で持った感触が柔らかく、更に嵌合部の嵌合用突起が有る為に、長期在庫、長期使用しても、紙製のキャップと合成樹脂製の有底円筒体の嵌合が甘くならない。
【図面の簡単な説明】
【図１】この発明の一実施例を示す分解斜視図である。
【図２】上記実施例の縦断面図である。
【符号の説明】
１１：有底円筒体
１２：繰出筒
１３：外筒
１４：キャップ
１５：縦穴
１６：ガイド突起
１７：ら線溝
１８：棒状化粧料
２１：嵌合用突起
【図１】
2004298594.tif 000003
【図２】
2004298594.tif 000004